(57)【要約】【課題】  体温変化を監視できる温度検知装置を提供する。【解決手段】  本体１１と本体１１に着脱自在に設けられた少なくとも一つの温度検知素子１３とを備え、本体１１は表示ユニット及び第１のインタフェースユニットを有し、温度検知素子１３は固定ユニット、測定ユニット、信号処理ユニット及び第２のインタフェースユニットを有しており、温度検知素子１３が、本体から離された状態で固定ユニットによって被測定者の身体に取り付けられ、測定ユニットによって被測定者の体温を測定し、測定した結果を第２のインタフェースユニットを介して本体に伝送し、本体が、この測定結果を第１のインタフェースユニットを介して受信して表示ユニットによって表示する。測定結果は信号処理ユニットによって変換処理される。【代表図】  図1【実用新案登録請求の範囲】
【請求項１】
本体と、該本体に着脱自在に設けられた少なくとも一つの温度検知素子とを備えており、
本体は、第１のインタフェースユニット、および表示ユニットを有し、第１のインタフェースユニットを介して温度検知素子から伝送されてきた測定結果を受信し、表示ユニットによって受信した測定結果を表示し、
温度検知素子は、固定ユニット、測定ユニット、信号処理ユニット、および第２のインタフェースユニットを有し、固定ユニットによって前記本体から離された状態で被測定者の身体に取り付けられ、測定ユニットによって被測定者の体温を測定し、信号処理ユニットによって測定結果を変換処理し、第２のインタフェースユニットを介して変換処理した測定結果を前記本体に伝送する
ことを特徴とする温度検知装置。
【請求項２】
本体と、該本体に着脱自在に設けられた少なくとも一つの温度検知素子とを備えており、
本体は、第１のインタフェースユニット、信号処理ユニット、および表示ユニットを有し、第１のインタフェースユニットを介して温度検知素子から伝送されてきた測定結果を受信し、信号処理ユニットによって受信した測定結果を変換処理し、表示ユニットによって変換処理した測定結果を表示し、
温度検知素子は、固定ユニット、測定ユニット、および第２のインタフェースユニットを有し、固定ユニットによって前記本体から離された状態で被測定者の身体に取り付けられ、測定ユニットによって被測定者の体温を測定し、第２のインタフェースユニットを介して測定結果を前記本体に伝送する
ことを特徴とする温度検知装置。
【請求項３】
前記表示ユニットは、スクリーンであることを特徴とする請求項１または２に記載の温度検知装置。
【請求項４】
前記温度検知素子は、自動温度検知機能を有するチップと前記第２のインタフェースユニットとが結合されたものであることを特徴とする請求項１または２に記載の温度検知装置。
【請求項５】
前記本体または前記温度検知素子は、変換処理された測定結果がある温度範囲を超えているかを判定し、超えている場合に指示を出力するための判定ユニットをさらに有していることを特徴とする請求項１または２に記載の温度検知装置。
【請求項６】
前記判定ユニットは、インジケータを有することを特徴とする請求項５に記載の温度検知装置。
【請求項７】
前記判定ユニットは、ブザーを有することを特徴とする請求項５に記載の温度検知装置。
【請求項８】
前記判定ユニットには、指示を出力するための作用指示ユニットが外付けられていることを特徴とする請求項５に記載の温度検知装置。
【請求項９】
前記作用指示ユニットは、インジケータ、ブザー、および振動器のいずれか一つまたはそれらの組合せからなることを特徴とする請求項８に記載の温度検知装置。
【請求項１０】
前記固定ユニットは、通気性テープ、弾力性テープ、バンドエイド、および縛りテープのいずれか一つまたはそれらの組合せからなることを特徴とする請求項１または２に記載の温度検知装置。
【請求項１１】
前記測定ユニットは、温度検知可能の材料からなることを特徴とする請求項１または２に記載の温度検知装置。
【請求項１２】
前記測定ユニットは、自動温度検知機能を有するチップであることを特徴とする請求項１または２に記載の温度検知装置。
【請求項１３】
前記信号処理ユニットは、マイクロプロセッサーチップであることを特徴とする請求項１または２に記載の温度検知装置。
【考案の詳細な説明】
【技術分野】
【０００１】
本考案は、温度検知装置に関し、特に被測定者に接触して体温の変化を検知するための温度検知装置に関する。
【背景技術】
【０００２】
体温の検知に用いられる水銀柱式温度計、耳温度計、電子式温度計、赤外線温度計、及び温度検知ラベル等は、既に市場に出回っている温度検知装置である。これらの温度検知装置は、被測定者の体温の変化を接触式または非接触式で検知することにより、被測定者の体温が正常の温度範囲にあるかを確認するものである。
【０００３】
従来より、体温を検知する時というのは体の具合が悪く、または病院で検査や治療を受けた場合に限り、上記の水銀柱式温度計、耳温度計または電子式温度計等の温度検知装置によって被測定者の体温を測定していたのである。特殊な必要がある人または入院患者でなければ、毎日のように体温を定時的に測定することは殆どない。しかしながら、重症急性呼吸器症候群（SARS）の伝染時期は患者が熱を出した頃であるため、体温の変化がSARS伝染の指標となっている。
【考案の開示】
【考案が解決しようとする課題】
【０００４】
従って、政府機関や民間企業または一般の家庭では、体温の測定がSARSの蔓延を阻止するための基本要件とみなされている。ビル、オフィスないし工場の門の出入には体温の測定が必要であるほか、会社は職員の体温を、親は子供の体温を、在宅隔離者は自身の体温を、１日１回測定するため、市場の温度検知装置が供給不足となっている。
【０００５】
ただし、上記の温度検知装置は接触式または非接触式で被測定者の体温を測定することができるが、これらの温度検知装置では、数多くの被測定者の体温の測定は特定の人が長い時間をかけてこそ完成できるため、仕事や生活にとって極めて不便であり、仕事や作業効率にも影響を与える。
【０００６】
上記の温度検知装置の欠点を解決するために、胸元に掛るような携帯型温度検知装置がある。被測定者はいつでも該携帯型温度検知装置によって自身の温度を測定し、現在の体温を記録及び／または報告することができる。ただし、このような携帯型温度検知装置は、その他の非接触式温度検知装置と同じように被測定者の体に直接接触せず、測定結果が環境温度によって影響を受ける欠点があり、体温の測定が不正確となる。
【０００７】
同時に、前記の温度検知装置にしても、前記の携帯型温度検知装置にしても、被測定者の体温変化は、測定または記録された時点の温度結果のみを判断の基準としており、その次の測定または記録された時点までの体温変化が把握できないため、体温変化を監視する効果がない。
【０００８】
従って、上記の従来の温度検知装置における、長時間の測定や体温測定の精度が低いなどの種々の欠点が克服され、体温変化を容易に監視できるようにすることは、実に解決すべき課題である。
【０００９】
そこで、以上のとおりの事情に鑑み、本考案は、体温変化を監視できる温度検知装置を提供することを課題とする。
【００１０】
また、本考案は、体温を遠隔で測定できる温度検知装置を提供することを課題とする。
【００１１】
また、本考案は、体温測定の精度を向上させる温度検知装置を提供することを課題とする。
【００１２】
また、本考案は、体温を異なる体温監視モードによって測定できるの温度検知装置を提供することを課題とする。
【課題を解決するための手段】
【００１３】
上記の課題を解決するために、本考案に係る温度検知装置は、本体と、該本体に着脱自在に設けられた少なくとも一つの温度検知素子とを備え、本体は、表示ユニットおよび第１のインタフェースユニットを有し、温度検知素子は、固定ユニット、測定ユニットおよび第２のインタフェースユニットを有しており、これにおいて、温度検知素子が、本体から所定の距離を離された状態で固定ユニットによって被測定者の身体に取り付けられ、測定ユニットによって被測定者の体温を測定し、測定した結果を第２のインタフェースユニットを介して本体に伝送し、本体が、この測定結果を第１のインタフェースユニットを介して受信して表示ユニットによって表示する。測定結果については、信号処理ユニットによって変換処理が行われ、この変換処理された測定結果が表示ユニットに伝送されて表示される。信号処理ユニットは、測定結果を変換や処理するように、本体および温度検知素子のいずれか一方または両方に設置されても良い。
【考案の効果】
【００１４】
本考案に係る温度検知装置は、本体と温度検知素子とが相互に分離または接続可能に設置され、本体と温度検知素子とが相互に接続されている場合、被測定者の体温を測定し体温測定の精度を向上することができ、本体と温度検知素子とが相互に分離されている場合、温度検知素子が被測定者の身体に設置されてもよく、１対１（１つの本体対１つの温度検知素子）、1対複数（１つの本体対複数の温度検知素子）、及び／または複数対複数（複数の本体対複数の温度検知素子）の配置によって、１人または複数の被測定者の体温を同時に監視し、体温変化を監視することができることを特徴とする。
【００１５】
しかも、本考案に係る温度検知装置は少なくとも１人の被測定者の体温変化を監視できるように設計されているため、従来技術の種々の欠点を解決することができ、しかも、被測定者を個別に長時間の測定もせずに正確な温度測定結果を得ることができ、さらに、異なる体温監視モードによって遠隔の体温測定が実施可能であるため、仕事や作業効率に影響することはない。
【考案を実施するための最良の形態】
【００１６】
以下、本考案を実施の形態に基づいてさらに詳細に説明するが、本考案はこれらの実施の形態に限定されるものではなく、本考案の技術思想の範囲内で数々の変更態様が可能であることは言うまでもない。
【００１７】
［第一の実施形態］
図１ないし図３は、各々、本考案の第一の実施形態について説明するための図である。
【００１８】
これら図１〜３に示すように、本実施形態の温度検知装置１は、本体１１と、本体１１に着脱自在に設置された温度検知素子１３とを備える。なお、本体１１および温度検知素子１３の実際の形状またはサイズは、本考案の特徴ではなく、必要に応じて変更することができるため、ここでは詳しい説明を省略する。
【００１９】
図２に示すように、本体１１は表示ユニット１１１及び第１のインタフェースユニット１１３を有し、表示ユニット１１１は例えばスクリーンであってよく、体温の測定結果を表示する。表示された体温の測定結果は、数値（例えば３６度であり、この数値は例えば初期温度パラメータ値および改めて測定された温度パラメータ値のいずれか一方または両方である。この後詳しく説明する。）、図表（例えば温度曲線）、またはその他の適当な表示方式であってよい。本実施形態における表示ユニット１１１は体温の測定結果の表示に用いられるが、表示ユニット１１１はそれに限定されるものではなく、例えば体温の測定時間及び体温の瞬間値、最大値ならびに最小値などの数値の表示に用いられてもよい。しかも、表示ユニット１１１は本体１１の電力供給状態の表示に用いられてもよく、本体１１に電力を供給するための素子は従来の電力源（例えば電池）の任意のものでよい。
【００２０】
第１のインタフェースユニット１１３は、本体１１と温度検知素子１３との間を有線または無線信号によってつなぐことができ、温度検知素子１３からの信号を受信して、受信された信号を表示ユニット１１１に伝送して表示させる。第１のインタフェースユニット１１３は例えばラジオ、赤外線、ブルートゥース等の無線または有線の伝送インタフェースであってよく、本実施形態においては無線伝送インタフェースを例にして説明している。
【００２１】
図３に示すように、温度検知素子１３は、主に、第２のインタフェースユニット１３１及び信号処理ユニット１３３を備える。第２のインタフェースユニット１３１は第１のインタフェースユニット１１３に対応する、例えばラジオ、赤外線、ブルートゥース等の無線または有線の伝送インタフェースであってよく、本実施形態においては無線伝送インタフェースを例にして説明しているが、第１のインタフェースユニット１１３と第２のインタフェースユニット１３１とが相互に通信可能なものであればよく、本実施形態に示したものに限定されるものではない。
【００２２】
温度検知素子１３は被測定者の体温を測定ユニット（図示せず）によって測定する。測定ユニットは、第２のインタフェースユニット１３１または信号処理ユニット１３３のいずれかと相互に結合されたものであればよく、しかも、例えば温度検知可能の材料または素子からなる構造、あるいは自動温度検知機能を有するチップ（例えば台湾特許公告第４９４４５９号に記載されたもの）と第２のインタフェースユニット１３１とが結合されたものであってもよい。温度検知素子１３は例えば軟質材料からなるものであってよく、被測定者の頭部または頚部に貼り付けられることにより被測定者の体温を直接測定する。また、温度検知素子１３は取り外し可能の固定ユニット（図示せず）によって被測定者の身体に取り付けられてもよく、この固定ユニットは例えば通気性テープ、弾力性テープ、バンドエイド、縛りテープ、または人体に重複して貼り付け可能なその他の素子であってもよい。
【００２３】
換言すれば、温度検知素子１３は被測定者に直接貼り付けられる構造であり、上記の取り外し可能の固定ユニットによって直接被測定者の身体に貼り付けられてもよく、温度検知素子１３の測定ユニットを被測定者の身体に直接接触させられるものであれば任意のものでよい。本実施形態においては、温度検知素子１３が被測定者の頭部または頚部に貼り付けられたことを例にして説明したが、ここで、温度検知素子１３は被測定者の身体の体温の測定に適した任意の箇所に貼り付け又は設置でき、被測定者の体温を正確に測定することができるものであれば任意のものでよく、頭部または頚部に限定されるものではない。
【００２４】
第２のインタフェースユニット１３１は、温度検知素子１３が測定した結果を第１のインタフェースユニット１１３を介して本体１１に伝送するものである。信号処理ユニット１３３は、温度検知素子１３と相互に接続または分離されてよく、測定結果を処理や変換して第２のインタフェースユニット１３１を介して第１のインタフェースユニット１１３に伝送できるものであれば任意のものでよく、例えばマイクロプロセッサーチップまたは類似した機能を有する素子であってよい。
【００２５】
換言すれば、温度検知素子１３における第２のインタフェースユニット１３１及び信号処理ユニット１３３は、その構造や機能を必要に応じて変化させまたは修飾してよく、被測定者の体温を正確に測定し、測定された結果について必要な変換や処理をすることができるものであれば任意のものでよく、本実施形態に示したものに限定されるものではない。
【００２６】
温度検知素子１３は被測定者の体温を直接、確実に測定することができるため、従来のような携帯式温度検知装置の体温測定の精度が低いという欠点を解決し、体温測定の精度を向上させることが可能である。
【００２７】
また、第１のインタフェースユニット、第２のインタフェースユニット、自動温度検知機能を有するチップ及びマイクロプロセッサーチップ等を構成する技術、ならびに温度測定結果の変換や処理の原理及び作用は周知のものであるため、ここでは詳しい説明を省略する。
【００２８】
温度検知素子１３には、さらに、変換処理された測定結果が温度範囲を超えているかを判定するための判定ユニット（図示せず）が設けられてもよい。測定結果が温度範囲を超えた場合、判定ユニットは指示を出力するが、そうではない場合、判定ユニットは作用しない。判定ユニットは、さらに、指示を出力するための作用指示ユニットが外付けられてもよい。作用指示ユニットは、例えば測定結果が温度の上下限を超えているかを告知し、または作動状態を指示するために用いられ、例えばインジケータ、ブザー、振動器およびその他の適当なもののいずれか一つまたはそれらの組合せでよく、作動中の場合にインジケータを点滅させたり、体温が温度上下限を超えている場合に警告音を鳴らしたり、振動したり、これらを組合せて動作したりする。当然、判定ユニットは例えば内部に、インジケータ、ブザー、振動器およびその他の適当なもののいずれか一つまたはそれらの組合せが設けられてもよく、上記に限定されるものではない。しかも、判定ユニットは温度検知素子１３の電力の供給状態の表示に用いられてもよく、温度検知素子１３に電力を供給するものは従来の任意の電力源（例えば電池）でよい。
【００２９】
本考案に係る温度検知装置１が適用される場合、温度検知素子１３が本体１１に設置された際、本考案に係る温度検知装置１は、例えば従来の温度検知装置の機能が提供できうる、被測定者の体温を直接測定するものでよい。当然、本体１１は、測定された温度の記録を異なる地域の使用者が理解できるように、摂氏または華氏（度Ｃ／度F）に温度が切り換えできるものであってもよい。また、本体１１と温度検知素子１３との接続は接続素子（図示せず）から選択されたものであってよく、温度検知素子１３が該被測定者の身体から取り外され本体１１に相互に接続されることで、被測定者の体温を直接測定することができる。接続素子は凹凸合わせのラッチ、切り込み、フランジ、固定具である雄／雌係合素子、またはねじ山合わせのねじとナット、マグネット、マジックフェルト等の適当なものから選択され、本体１１を接続素子によって温度検知素子１３に接続できるものであればよく、その構造は異なる変化や修飾が可能である。
【００３０】
また、温度検知素子１３を被測定者の身体に設置して、本体１１を固定の場所に設置してもよい。温度検知素子１３を被測定者の身体に設置する場合、初期の温度パラメータ値を得るために、被測定者の体温をすぐに測定することもできる。また、温度検知素子１３は少なくとも一定の時間（例えば９０秒）後、温度パラメータ値を更新しまたは次の測定されたパラメータ値を記録する。
【００３１】
換言すれば、温度検知素子１３は一定の時間後、被測定者の体温を改めて測定するとともに、元の測定された初期温度パラメータ値をその改めて測定された温度パラメータ値に更新し、またはその改めて測定された温度パラメータ値を他の項目の測定データとして記録し、被測定者の体温変化の状況を対照したり、観察するために用いられる。その測定体温ごとの間隔は、本実施形態に記載の９０秒に限定されるものではなく、実際の必要に応じて連続的に測定したり、またはその他の変化や修飾も可能である。
【００３２】
従って、温度検知素子１３を本体１１より離れて設置する場合、被測定者の体温を温度検知素子１３によって測定し、温度検知素子１３の信号処理ユニット１３３が一定の範囲内で、温度測定結果により変換された温度信号を本体１１に出力し、その測定結果が表示ユニット１１１によって即時に表示される。このように、被測定者の体温は本体１１によってリアルタイムで監視することができる。本実施形態において、本体１１と温度検知素子１３は相互に離れて一定の距離内で即時の監視を行うことができる。その距離は、本体１１と温度検知素子１３とにおける素子の信号が入出力できる距離によって決まる。つまり、本体１１と温度検知素子１３との距離は、実際に必要な距離に応じて設計することができ、特定の距離範囲に限定されるものではない。
【００３３】
［第二の実施形態］
図４ないし図６は、各々、本考案の第二の実施形態について説明するための図である。
【００３４】
これら図４〜図６に示すように、本実施形態の温度検知装置１’は本体１１’と複数の温度検知素子１３’とを備える。本実施形態における温度検知装置１’は前記の実施形態の作用と同じであるため、本考案の特徴と利点が容易に理解できるように、ここではその作用の説明を省略して、異なる構造や作用だけを説明する。
【００３５】
本実施形態が前記実施形態と異なる点は、温度検知素子１’が複数の温度検知素子１３’をそれぞれ個別の被測定者の身体に設置して、これらの被測定者の体温を同時に１つの本体１１’によって遠隔の体温測定や監視を行うことである。しかも、監視コストの低減のため、信号処理ユニット１１３’が個別の温度検知素子１３’ではなく、本体１１’に設置されている。信号処理ユニット１１３’には第１のインタフェースユニット（図示せず）が統合されている。第１のインタフェースユニットは各温度検知素子１３’の第２のインタフェースユニット１３１’からの測定結果を受信する。受信された測定結果は、信号処理ユニット１１３’によって処理され、測定温度パラメータ値に変換され、本体１１’における表示ユニット１１１’によって表示される。温度検知素子１３’は例えば自動温度検知機能を有するチップと該第２のインタフェースユニット１３１’とが結合されたものであってもよい。
【００３６】
本体１１’にはさらに、判定ユニット（図示せず）および作用指示ユニット（図示せず）が設けられてもよく、判定ユニットは測定結果が温度範囲を超えているかを判定して、超えている場合に指示を出力し、作用指示ユニットは、例えば該測定結果が温度の上下限を超えているかを告知し、または作動状態を指示するために用いられ、例えばインジケータ、ブザー、およびその他の適当なもののいずれか一つまたはそれらの組合せでよく、作動中インジケータを点滅させたり、体温が該温度上下限を超えている場合警告音を響かせたりする。
【００３７】
本考案に係る温度検知装置１’は起動時に温度検知素子１３’が温度の測定を行うことができるため、温度検知素子１３’が貼られる際に被測定者の体温を即時に得られ、しかも、一定の時間後、被測定者の体温変化の状態を得ることができる。
【００３８】
例を挙げれば、父母で家で二人の子供の体温変化を監視しようとする場合、温度検知素子１３’を子供の身体に貼り、本体１１’を父母のベッドルームに設置することにより、ベッドルームにいながら子供の体温変化を観察することができる。また、会社が社員（例えば５０人の社員）の体温変化の状態を監視しようとする場合、それぞれの社員に該温度検知素子１３’を身体に貼ってもらうことで、例えば人事主任が個別の社員の体温変化を監視することができる。
【００３９】
また、本考案に係る温度検知装置１’が病院のように患者の体温を厳しく監視する必要がある場所に応用される場合には、個別の患者の身体に貼られた温度検知素子１３’が、ナースステーションに設置された本体１１’に患者の体温変化を即時に提供し、温度の上下限を超えている場合、ナースステーションにいる医師や看護婦に即時に警告を発することができる。このように、患者の体温をいつでも監視し、監視された患者の体温変化を即時に報告することができ、さらに医師や看護婦と患者との間の頻繁な接触を回避できることで、患者の体温変化状態を確実に且つ速やかに医師や看護婦に提供できるだけでなく、医師や看護婦の健康を保障することができる。
【００４０】
同時に、異なる位置から個別の被測定者の体温変化を監視したり、又は監視者（例えば部門の責任者や人事主任）が監視することで、複数対複数の体温監視ができるように、２つの本体１１’を設置してもよい。本実施形態において２つの本体１１’を設置してもよいが、当然のように、本体１１’の設置数量や設置位置は、監視の必要に応じて変更することができ、本実施形態に示したものに限定されるものではない。しかも、本考案に係る温度検知装置を例えば工場の各区域、病院にある異なる診察病棟、団地の各ビル、または本体と温度検知素子とが離れたような状況下に適用する場合、遠距離の監視を確保するように、例えば波長増強器またはその他の適当な装置やデバイスを選択することが可能である。また、インタフェース通信の距離やそれによって生じた例えば電磁波等は、状況に応じて調整することができる。これらの調整技術は周知のものであるため、ここでは詳しい説明を省略する。
【００４１】
従って、本実施形態の温度検知装置１’の応用は、個別の被測定者の体温を長時間かけて測定することなく、正確な温度測定結果を得ることができ、しかも、仕事や作業効率に影響を与えることはない。このようにして、従来の温度検知装置の種々の欠点を解決することができるとともに、遠隔の体温測定が可能となり、多種の即時監視の配置を提供できる。
【００４２】
上記のように、本考案に係る温度検知装置は体温変化の監視が可能となり、被測定者の体温を直接測定することにより、かつ、体温の測定結果の正確性を向上させることで、被測定者の体温変化記録を１対１、１対複数、複数対複数などの異なる模式の体温監視によって、より経済的で正確に得ることができる。
【００４３】
上記のように、これらの実施の形態は本考案を例示する目的で示すものであり、本考案は、これらによって何ら限定されるものではない。本考案に係る実質的な技術内容は、下記の実用新案請求の範囲に定義される。本考案はこの技術分野に精通したものが実用新案請求の範囲を脱しない範囲で色々な修飾や変更が可能であり、そうした修飾や変更は本考案の技術範囲に入るものである。
【図面の簡単な説明】
【００４４】
【図１】本考案の第一の実施形態の温度検知装置を模式的に示したブロック図。
【図２】本考案の第一の実施形態における本体を模式的に示したブロック図。
【図３】本考案の第一の実施形態における温度検知素子を模式的に示したブロック図。
【図４】本考案の第二の実施形態の温度検知装置を模式的に示したブロック図。
【図５】本考案の第二の実施形態における本体を模式的に示したブロック図。
【図６】本考案の第二の実施形態における温度検知素子を模式的に示したブロック図。
【符号の説明】
【００４５】
１、１’  温度検知装置
１１、１１’  本体
１３、１３’  温度検知素子
１１１、１１１’  表示ユニット
１１３  第１のインタフェースユニット
１１３’、１３３  信号処理ユニット
１３１、１３１’  第２のインタフェースユニット
【図１】
0003110351.tif 000002
【図２】
0003110351.tif 000003
【図３】
0003110351.tif 000004
【図４】
0003110351.tif 000005
【図５】
0003110351.tif 000006
【図６】
0003110351.tif 000007